(57)【要約】【課題】同一のノズルから連続して吐出されたインク滴同士の合体による着弾乱れに起因する画像の乱れを低減し、高精細な画像を高速で記録することが可能なインクジェット記録方法及びインクジェット記録装置を提供すること。【解決手段】静止した状態でインク滴を吐出する記録ヘッドに対して記録媒体を相対的に移動させることにより画像を記録するインクジェット記録方法であって、前記記録ヘッドの駆動周波数をＸ（ｋＨｚ）、インク滴量をＹ（ｐｌ）、インク滴の飛翔速度をＺ（ｍ／ｓ）、前記記録ヘッドのノズル面と前記記録媒体との間隔をＷ（ｍｍ）とし、且つ、Ｘ≧３０、Ｙ≦１．５としたとき、Ｘ、Ｙ、Ｚ、Ｗが以下の関係式を満足することを特徴とするインクジェット記録方法。  ０≦２．８７５−３．３８５Ｗ＋０．２５３Ｚ＋０．９６６Ｙ−０．０６５Ｘ【選択図】    図１
2005238574.tif 000002
【特許請求の範囲】
【請求項１】
静止した状態でインク滴を吐出する記録ヘッドに対して記録媒体を相対的に移動させることにより画像を記録するインクジェット記録方法であって、
前記記録ヘッドの駆動周波数をＸ（ｋＨｚ）、インク滴量をＹ（ｐｌ）、インク滴の飛翔速度をＺ（ｍ／ｓ）、前記記録ヘッドのノズル面と前記記録媒体との間隔をＷ（ｍｍ）とし、且つ、Ｘ≧３０、Ｙ≦１．５としたとき、Ｘ、Ｙ、Ｚ、Ｗが以下の関係式を満足することを特徴とするインクジェット記録方法。
０≦２．８７５−３．３８５Ｗ＋０．２５３Ｚ＋０．９６６Ｙ−０．０６５Ｘ
【請求項２】
前記記録ヘッドは、重力方向に沿って下向きにインク滴を吐出することを特徴とする請求項１記載のインクジェット記録方法。
【請求項３】
前記記録ヘッドは複数のノズル列を有しており、各ノズル列の間隔が１ｍｍ以下であることを特徴とする請求項１又は２記載のインクジェット記録方法。
【請求項４】
前記記録ヘッドは、オンデマンド型の記録ヘッドであることを特徴とする請求項１、２又は３記載のインクジェット記録方法。
【請求項５】
前記記録ヘッドは、前記記録媒体の幅方向に亘ってノズル列が形成され、該記録媒体の幅に相当する記録幅を有し、１パスで画像を記録するラインヘッドであることを特徴とする請求項１〜４のいずれかに記載のインクジェット記録方法。
【請求項６】
Ｙ≧０．５であることを特徴とする請求項１〜５のいずれかに記載のインクジェット記録方法。
【請求項７】
静止した状態でインク滴を吐出する記録ヘッドに対して記録媒体を相対的に移動させることにより画像を記録するインクジェット記録装置であって、
前記記録ヘッドの駆動周波数をＸ（ｋＨｚ）、インク滴量をＹ（ｐｌ）、インク滴の飛翔速度をＺ（ｍ／ｓ）、前記記録ヘッドのノズル面と前記記録媒体との間隔をＷ（ｍｍ）とし、且つ、Ｘ≧３０、Ｙ≦１．５としたとき、Ｘ、Ｙ、Ｚ、Ｗが以下の関係式を満足することを特徴とするインクジェット記録装置。
０≦２．８７５−３．３８５Ｗ＋０．２５３Ｚ＋０．９６６Ｙ−０．０６５Ｘ
【請求項８】
前記記録ヘッドは、重力方向に沿って下向きにインク滴を吐出するように設けられていることを特徴とする請求項７記載のインクジェット記録装置。
【請求項９】
前記記録ヘッドは複数のノズル列を有しており、各ノズル列の間隔が１ｍｍ以下であることを特徴とする請求項７又は８記載のインクジェット記録装置。
【請求項１０】
前記記録ヘッドは、オンデマンド型の記録ヘッドであることを特徴とする請求項７、８又は９記載のインクジェット記録装置。
【請求項１１】
前記記録ヘッドは、前記記録媒体の幅方向に亘ってノズル列が形成され、該記録媒体の幅に相当する記録幅を有し、１パスで画像を記録するラインヘッドであることを特徴とする請求項７〜１０のいずれかに記載のインクジェット記録装置。
【請求項１２】
Ｙ≧０．５であることを特徴とする請求項７〜１１のいずれかに記載のインクジェット記録装置。
【発明の詳細な説明】
【技術分野】
【０００１】
本発明はインクジェット記録方法及びインクジェット記録装置に関し、詳しくは、静止した状態でインク滴を吐出する記録ヘッドに対して記録媒体を相対的に移動させることにより画像を記録するようにしたインクジェット記録方法及びインクジェット記録装置に関する。
【背景技術】
【０００２】
ノズルから微小なインク滴を吐出して記録媒体に着弾させることにより画像を記録するインクジェット記録方法では、インク滴が記録媒体の目的の位置に着弾することが画像の均一性を確保する上で重要である。
【０００３】
近年、より高画質の画像を記録するために、ノズルの高密度化やインク滴の小液滴化が進んでおり、また、同時に、記録速度の高速化も求められており、そのために駆動周波数を上げることやノズル数を増やすことが行われている。
【０００４】
しかし、記録ヘッドが静止している状態で、同じ位置から高周波でインク滴を吐出すると、画像が乱れる問題があることが判った。すなわち、静止した状態の記録ヘッドにおける同一のノズルから、一定の速度で移動している記録媒体に向けて所定の駆動周波数でインク滴を吐出すると、１滴目からの各インク滴によって形成される各ドット間隔は、図５（ａ）に示すように、常に一定となることが理想的である。しかしながら、静止した状態の記録ヘッドにおける同一のノズルから高い駆動周波数でインク滴を吐出すると、後続のインク滴と先に吐出されたインク滴の距離が近くなること、及び、最初に吐出されたインク滴の空気抵抗が特に大きくなって減速するため、後続のインク滴と先に吐出されたインク滴のノズル出口での飛翔速度は同じであるにもかかわらず、後続のインク滴が先に吐出されたインク滴に追いついて合体してしまい、本来異なる位置に着弾すべきインク滴が同じ位置に着弾することにより、画像が乱れてしまう。特に、図５（ｂ）に示すように、最初の１滴目のインク滴とそれに続く２滴目のインク滴との間での合体の問題は顕著であり、その後、各ドット間隔は徐々に一定となる定常状態に移行していく。
【０００５】
このように先に吐出したインク滴と後続のインク滴とが合体すると、液滴が大きくなるため、画像濃度が低下するばかりでなく、見かけ上大きな液滴によってプリントしたのと同じ状態になり、画像の粒状性が悪くなる場合もある。また、インク滴に引きずられて発生した気流の影響により着弾が乱れ、これが原因で画像が乱れることもある。
【０００６】
このような問題は、駆動周波数及びインク滴量に依存して発生するものと考えられる。そこで、駆動周波数を３０ｋＨｚ未満に下げるようにすると、ほぼ気流の影響やインク滴同士の合体を低減することができるが、記録速度が低下し、記録時間の短縮化を図ることが困難となり、画像記録の高速化の要請を満足することができなくなる。また、インク滴量を１．５ｐｌより増やしてやると、インク滴の気流による影響や空気抵抗の問題を低減できるが、画質が低下してしまい、高画質、高精細な画像記録を行うことが困難となる。従って、高画質、高精細な画像を高速で記録するという要請を満足するには、駆動周波数は３０ｋＨｚ以上で、インク滴量は１．５ｐｌ以下で記録することが求められる。
【０００７】
従来、静止したラインヘッドに対して記録媒体を相対的に移動させながら、ヘッドから２ｐｌ以下のインク滴を６〜１０ｍ／ｓで吐出しながら画像記録する技術が特許文献１に記載されているが、駆動周波数を３０ｋＨｚ以上として高周波数での駆動を行うこと、及び、その場合のインク滴の着弾が乱れることについての指摘はなく、後続のインク滴が先に吐出されたインク滴に追いついて合体してしまうことによる画像乱れの問題を解決することの記載はない。
【特許文献１】特開２００３−１９１４６８号公報
【発明の開示】
【発明が解決しようとする課題】
【０００８】
そこで、本発明は、同一のノズルから連続して吐出されたインク滴同士の合体による着弾乱れに起因する画像の乱れを低減し、高精細な画像を高速で記録することが可能なインクジェット記録方法及びインクジェット記録装置を提供することを課題とする。
【０００９】
本発明の他の課題は、以下の記載により明らかとなる。
【課題を解決するための手段】
【００１０】
上記課題は、以下の各発明によって解決される。
【００１１】
請求項１記載の発明は、静止した状態でインク滴を吐出する記録ヘッドに対して記録媒体を相対的に移動させることにより画像を記録するインクジェット記録方法であって、前記記録ヘッドの駆動周波数をＸ（ｋＨｚ）、インク滴量をＹ（ｐｌ）、インク滴の飛翔速度をＺ（ｍ／ｓ）、前記記録ヘッドのノズル面と前記記録媒体との間隔をＷ（ｍｍ）とし、且つ、Ｘ≧３０、Ｙ≦１．５としたとき、Ｘ、Ｙ、Ｚ、Ｗが以下の関係式を満足することを特徴とするインクジェット記録方法である。
０≦２．８７５−３．３８５Ｗ＋０．２５３Ｚ＋０．９６６Ｙ−０．０６５Ｘ
【００１２】
請求項２記載の発明は、前記記録ヘッドは、重力方向に沿って下向きにインク滴を吐出することを特徴とする請求項１記載のインクジェット記録方法である。
【００１３】
請求項３記載の発明は、前記記録ヘッドは複数のノズル列を有しており、各ノズル列の間隔が１ｍｍ以下であることを特徴とする請求項１又は２記載のインクジェット記録方法である。
【００１４】
請求項４記載の発明は、前記記録ヘッドは、オンデマンド型の記録ヘッドであることを特徴とする請求項１、２又は３記載のインクジェット記録方法である。
【００１５】
請求項５記載の発明は、前記記録ヘッドは、前記記録媒体の幅方向に亘ってノズル列が形成され、該記録媒体の幅に相当する記録幅を有し、１パスで画像を記録するラインヘッドであることを特徴とする請求項１〜４のいずれかに記載のインクジェット記録方法である。
【００１６】
請求項６記載の発明は、Ｙ≧０．５であることを特徴とする請求項１〜５のいずれかに記載のインクジェット記録方法である。
【００１７】
請求項７記載の発明は、静止した状態でインク滴を吐出する記録ヘッドに対して記録媒体を相対的に移動させることにより画像を記録するインクジェット記録装置であって、前記記録ヘッドの駆動周波数をＸ（ｋＨｚ）、インク滴量をＹ（ｐｌ）、インク滴の飛翔速度をＺ（ｍ／ｓ）、前記記録ヘッドのノズル面と前記記録媒体との間隔をＷ（ｍｍ）とし、且つ、Ｘ≧３０、Ｙ≦１．５としたとき、Ｘ、Ｙ、Ｚ、Ｗが以下の関係式を満足することを特徴とするインクジェット記録装置である。
０≦２．８７５−３．３８５Ｗ＋０．２５３Ｚ＋０．９６６Ｙ−０．０６５Ｘ
【００１８】
請求項８記載の発明は、前記記録ヘッドは、重力方向に沿って下向きにインク滴を吐出するように設けられていることを特徴とする請求項７記載のインクジェット記録装置である。
【００１９】
請求項９記載の発明は、前記記録ヘッドは複数のノズル列を有しており、各ノズル列の間隔が１ｍｍ以下であることを特徴とする請求項７又は８記載のインクジェット記録装置である。
【００２０】
請求項１０記載の発明は、前記記録ヘッドは、オンデマンド型の記録ヘッドであることを特徴とする請求項７、８又は９記載のインクジェット記録装置である。
【００２１】
請求項１１記載の発明は、前記記録ヘッドは、前記記録媒体の幅方向に亘ってノズル列が形成され、該記録媒体の幅に相当する記録幅を有し、１パスで画像を記録するラインヘッドであることを特徴とする請求項７〜１０のいずれかに記載のインクジェット記録装置である。
【００２２】
請求項１２記載の発明は、Ｙ≧０．５であることを特徴とする請求項７〜１１のいずれかに記載のインクジェット記録装置である。
【発明の効果】
【００２３】
本発明によれば、同一のノズルから連続して吐出されたインク滴同士の合体による着弾乱れに起因する画像の乱れを低減し、高精細な画像を高速で記録することが可能なインクジェット記録方法及びインクジェット記録装置を提供することができる。
【発明を実施するための最良の形態】
【００２４】
以下、本発明の実施の形態について図面を用いて説明する。
【００２５】
図１はインクジェット記録装置の概略構成を示す斜視図、図２はインクジェット記録装置における画像記録部を示す断面図、図３はインクジェット記録装置の主要部の構成ブロック図である。
【００２６】
本実施形態に示すインクジェット記録装置は、長尺状の記録媒体Ｐをロール状に巻回したロール体Ｐａを有しており、搬送モータ３０の駆動力によって回転駆動される駆動ローラ２１と従動ローラ２２とからなる搬送ローラ対２０によって、ロール体Ｐａから記録媒体Ｐが図示Ａ方向に沿って一定の速度で搬送されるようになっている。
【００２７】
搬送ローラ対２０の下流側には画像記録部１０が設けられており、この画像記録部１０に記録ヘッド１１が配設されている。この記録ヘッド１１は、図示Ａ方向（副走査方向）と直交する記録媒体Ｐの幅方向に亘って延びる長尺状に設けられたラインヘッドからなり、その記録媒体Ｐの表面に対してほぼ平行に対面するノズル面１１ａには、記録媒体Ｐの幅方向に沿うように、少なくとも記録媒体Ｐの幅に相当する長さに亘って多数のノズル１１ｂが配列されている。本実施形態に示すインクジェット記録装置は、この記録ヘッド１１を静止した状態とし、図示Ａ方向に一定速度で搬送される記録媒体Ｐの表面に向けて、これら各ノズル１１ｂからインク滴が吐出されることにより、記録媒体Ｐの幅一杯に亘って画像データに基づく画像記録が可能となっている。
【００２８】
なお、本実施形態に示す記録ヘッド１１は、画像データに応じてインク滴を吐出したりしなかったりすることにより、画像データに応じた画像を記録媒体Ｐに記録するオンデマンド型の記録ヘッドである。
【００２９】
画像データは、外部ＰＣ（パーソナルコンピュータ）からＩ／Ｆ部４１及び制御部４２を介して画像メモリ４３に一旦格納されており、制御部４２において画像メモリ４３から読み出された後、ヘッド駆動部４４に送られる。ヘッド駆動部４４は、上記画像メモリ４３から読み出された画像データに応じて、所定の駆動周波数によって、及び、駆動電圧を制御することによる所定の飛翔速度によって、各ノズル１１ｂからインク滴を吐出制御することにより、記録媒体Ｐ上に所定の画像を記録する。この画像記録時、記録ヘッド１１は静止した状態とされ、制御部４２が副走査駆動部４５を駆動することによって搬送モータ３０を回転駆動させることにより、記録媒体Ｐを図示Ａ方向に所定速度で搬送するようになっている。
【００３０】
画像記録部１０には、記録媒体Ｐを挟んで記録ヘッド１１と反対側にプラテン５０が配設されている。プラテン５０は、記録媒体Ｐの幅よりも広幅な長尺状に形成された箱状に形成されており、その上面には、記録ヘッド１１によって画像記録される記録媒体Ｐの裏面に接してこれを支持し、記録媒体Ｐの表面を平滑に維持するためのプラテン板５１を有している。プラテン板５１には多数の吸引口５２が開穿されており、吸引ファン等からなる適宜の吸引手段５３によって、吸引管５４を介してプラテン５０内の空気をこの吸引口５２から所定の吸引力によって吸引することにより、記録媒体Ｐをプラテン板５１の表面に密着させ、その表面を平滑に維持する。
【００３１】
ここで、本発明では、記録ヘッド１１の駆動周波数をＸ（ｋＨｚ）、各ノズル１１ｂから吐出されるインク滴量をＹ（ｐｌ）、インク滴の飛翔速度をＺ（ｍ／ｓ）、記録ヘッド１１のノズル面１１ａと記録媒体Ｐとの間隔をＷ（ｍｍ）とし（図２参照）、且つ、Ｘ≧３０、Ｙ≦１．５としたとき、Ｘ、Ｙ、Ｚ、Ｗが以下の関係式を満足する。
【００３２】
０≦２．８７５−３．３８５Ｗ＋０．２５３Ｚ＋０．９６６Ｙ−０．０６５Ｘ
【００３３】
ここで、インク滴の飛翔速度とは、ノズル１１ｂの出口での飛翔速度、すなわち、インク滴の初速度である。
【００３４】
上記関係式を満足することにより、高周波駆動で微小液滴からなるインク滴を吐出することによって画像記録する場合でも、従来問題であった同一ノズルから連続して吐出されるインク滴同士の合体や気流による着弾乱れの影響を低減することができる。
【００３５】
すなわち、インク滴量Ｙが小さいほど、駆動周波数Ｘが高いほど、各ノズル１１ｂから吐出されるインク滴の飛翔速度Ｚを大きくすることで、インク滴が微小滴であっても高速度で吐出させるため、空気抵抗や気流の影響を小さくすることができる。また、インク滴が高速度で吐出されることから、インク滴が飛翔している時間が短くなるので、空気抵抗や気流の影響を受け難くなる。
【００３６】
また、インク滴量Ｙが小さいほど、駆動周波数Ｘが高いほど、記録ヘッド１１のノズル面１１ａと記録媒体Ｐとの間隔Ｗを小さくすることで、インク滴が飛翔している時間が短くなるので、空気抵抗や気流の影響を受け難くなる。
【００３７】
更に、このように、吐出されるインク滴が１．５ｐｌ以下に小液滴化することで、記録媒体Ｐ上のドット形状も小さくなり、画質の荒れが少なくなって解像度や階調性も上がり、画質の向上が図られる。更に、インク滴を小液滴化することで、同じ画像濃度を得るために必要なインク滴の総量（単位面積当たりの液量）も少なくて済む。これは、記録媒体Ｐ上のドット径は液滴の体積に比例するのではなく、液滴の径に略比例することが経験的に知られていることによる。従って、小さな液滴で解像度を高めて画像を記録した方が、同じ濃度の画像を得るために必要な単位面積当たりの液滴量は少ないことになる。
【００３８】
この結果、記録媒体Ｐを選択する巾が広がるようになる。すなわち、普通紙のようなインク吸収容量の小さい記録媒体に対しても、従来の大きな液滴の場合に比べ、インク溢れを低減した高速で高画質の画像記録が可能となる。また、記録媒体Ｐへ吐出されるインク滴の総量が少なくて済むことにより、記録媒体Ｐがインクを吸収して浮き上がることによって記録ヘッドのノズル面と接触する事故の発生も大きく低減することができる。すなわち、インク滴を小液滴とすることで、ノズル面１１ａと記録媒体Ｐとの距離を近づけることができるようになる。
【００３９】
なお、本発明において普通紙とは、プリンタや複写機等で大量に使用されている市販の上〜中質紙及び一般のＰＰＣ用紙等のコピー用紙やボンド紙をいう。
【００４０】
インク滴量Ｙの下限は０．５ｐｌ以上とすることが好ましい。インク滴が０．５ｐｌよりも小液滴化しすぎると、所定の画像を記録するためのインク滴の吐出数が増加することにより、記録時間の増加につながるおそれがある。また、インク滴を小液滴化するには、一般にノズル１１ｂの開口径をそれに応じて小さく形成するが、ノズル径が小さくなることにより、ノズル詰まりの問題も発生し易くなるため好ましくない。
【００４１】
本発明において、駆動周波数Ｘは６０ｋＨｚを越えるようになると、記録ヘッド１１の発熱の問題が大きくなるため、６０ｋＨｚ以下とすることが好ましい。
【００４２】
また、インク滴の飛翔速度Ｚは３０ｍ／ｓ以下、記録ヘッド１１のノズル面１１ａと記録媒体Ｐとの間隔Ｗは０．５ｍｍ以上とすることが好ましい。上記間隔Ｗを０．５ｍｍより小さくしすぎたり、インク滴の飛翔速度Ｚを３０ｍ／ｓより大きく設定しすぎたりすると、ノズル１１ｂから吐出されたインク滴が切断されないうちに記録媒体Ｐの表面に到達してしまうおそれがある。この場合、インク滴により形成された記録媒体Ｐ上のドット形状は、尾を引いたような形状となり、画像が乱れる原因となったり、インク滴がノズル１１ｂの開口周縁を汚し、ノズル１１ｂから吐出される後続のインク滴の着弾精度が低下したりする場合があるため好ましくない。
【００４３】
インク滴の飛翔速度Ｚは６ｍ／ｓ以上、記録ヘッド１１のノズル面１１ａと記録媒体Ｐとの間隔Ｗは１．５ｍｍ以下とすることが好ましい。飛翔速度Ｚが６ｍ／ｓより小さくなったり、間隔Ｗが１．５ｍｍより大きくなったりすると、インク滴の飛翔速度が遅くなると共に飛翔距離が大きくなるので、空気抵抗や気流の影響を受け易くなり、やはり好ましくない。
【００４４】
ところで、記録ヘッド１１のノズル面１１ａと記録媒体Ｐとはほぼ平行となるように対面しており、各ノズル１１ｂから記録媒体Ｐの表面に向けて略垂直にインク滴が吐出されるようになっている。本発明では、特に重力方向に沿って下向きにインク滴を吐出するように、記録ヘッド１１と記録媒体Ｐとの位置関係を設定すると、吐出されるインク滴が重力の影響を最も受けるようになり、飛翔速度が上がるので、吐出されるインク滴の直進性が向上し、空気抵抗や気流の影響をより小さくすることができるために好ましい。
【００４５】
図１、図２に示す記録ヘッド１１では、記録媒体Ｐの幅方向に亘って配列されたノズル１１ｂが１列状に形成されているものを示しているが、このノズル列は複数有しているものであってもよい。複数のノズル列を有する記録ヘッド１１としては、例えば図４（ａ）に示すように、一つの記録ヘッド１１のノズル面１１ａに、記録媒体Ｐの幅方向に亘って配列された多数のノズル１１ｂ１からなるノズル列と、同じく記録媒体Ｐの幅方向に亘って配列された多数のノズル１１ｂ２からなるノズル列とを有しているものや、図４（ｂ）に示すように、それぞれのノズル面１１１ａ、１１２ａに記録媒体Ｐの幅方向に亘って配列された多数のノズル１１１ｂ、１１２ｂからなる１列のノズル列を有している各ヘッド１１１、１１２を、記録媒体Ｐの搬送方向に沿って並設することにより、記録ヘッド１１の全体として複数のノズル列を有するようにしたものがあるが、本発明ではいずれでもよい。
【００４６】
ここで、これら記録ヘッド１１の複数の各ノズル列同士の間隔Ｌが、１ｍｍ以下であるように設けられているものであると、隣のノズル列からの気流の影響を大きく受け易くなる。従って、このようなノズル列同士の間隔が１ｍｍ以下である複数のノズル列を有する記録ヘッド１１を使用する場合に本発明を適用すると、空気抵抗や気流の影響を小さくして高画質の画像を高速で記録することができる本発明の効果を顕著に得ることができる。なお、ノズル列の数は２列に限らず、３列以上であってもよい。
【００４７】
また、本実施形態のように、オンデマンド型の記録ヘッド１１を使用する場合には、インク滴を帯電させて飛翔軌道を制御して記録媒体表面の目的の位置に着弾させるコンティニュアス型の記録ヘッドを使用するものに比べ、画像記録に必要なインク滴を選択的にノズル１１ｂから吐出するので、吐出されたインク滴が気流等の影響によって所定の弾道から外れてしまい、記録媒体Ｐの表面での着弾乱れが発生する場合が多々ある。従って、オンデマンド型の記録ヘッドを使用する場合に本発明を適用すると、着弾乱れを低減させる効果を顕著に得ることができる。
【００４８】
更に、記録ヘッド１１によって画像を１パスで記録する、すなわち、記録媒体Ｐが記録ヘッド１１を１回通過するだけで所定の画像を記録する場合には、インク滴密度が高くなるため、気流の影響が大きく見られるようになる。従って、この場合に本発明を適用すると、気流の影響を小さくすることができる本発明の効果を顕著に得ることができる。
【００４９】
本発明が適用される記録ヘッド１１は、本実施形態に示したラインヘッドに限らず、一定速度で搬送される記録媒体に対して静止した状態でインク滴を吐出することにより所定の画像を記録するタイプの記録ヘッドであれば同様に適用可能である。
【００５０】
また、記録ヘッド１１のインク滴の吐出方式としては、電気−機械変換方式（例えば、シングルキャビティー型、ダブルキャビティー型、ベンダー型、ピストン型、シェアーモード型、シェアードウォール型等）、電気−熱変換方式（例えば、サーマルインクジェット型、バブルジェット（登録商標）型等）、静電吸引方式（例えば、電界制御型、スリットジェット型等）及び放電方式（例えば、スパークジェット型等）等を具体的な例として挙げることができるが、本発明はいずれの吐出方式であってもよい。
【００５１】
更に、本発明において、記録媒体Ｐは記録ヘッド１１から吐出されるインク滴によってドット画像が記録可能であればいかなる記録媒体を用いることもでき、上述した普通紙の他にも各種の紙を使用することができる。また、その他、合成樹脂製フィルムや合成樹脂製シート、布を用いることもできる。
【００５２】
記録媒体Ｐが紙類や布のように、表面から裏面へ僅かながらも空気の透過が可能な記録媒体を使用する場合、本実施形態に示すように、記録媒体Ｐの裏面側をプラテン５０によって吸引吸着するようにすると、表面の平滑性を高める効果に加え、プラテン５０による吸引時に、インク滴の吐出方向の吸引力が記録媒体Ｐを透過して該インク滴に作用するため、インク滴の直進性が向上し、空気抵抗の影響の低減効果と後続のインク滴との合体の防止効果の向上に有効である。
【００５３】
なお、記録媒体Ｐは、ロール体Ｐａから連続状に繰り出される長尺状のものに限らず、予め所定サイズに裁断されたものであってもよい。
【実施例】
【００５４】
以下、本発明の効果を実施例に基づいて例証する。
（実施例１）
記録ヘッドのノズル面と記録媒体との間隔Ｗを０．７ｍｍ、インク滴の飛翔速度Ｚを６ｍ／ｓとし、駆動周波数Ｘ（ｋＨｚ）及びインク滴量Ｙ（ｐｌ）を表１に記載の通りとしたときの各々について、記録ヘッドを静止させた状態で、副走査方向に沿って一定速度で移動する記録媒体に向けてインク滴を連続的に吐出してライン画像を記録した。
【００５５】
駆動周波数Ｘ、インク滴量Ｙの各々の条件について、２．８７５−３．３８５Ｗ＋０．２５３Ｚ＋０．９６６Ｙ−０．０６５Ｘを計算した計算値を表中に示す。各画像を目視観察したところ、計算値の値が大きい程、画質状態は良好となるが、その画質状態を、特定の１ノズルから吐出されたインク滴による記録媒体上の副走査方向のドット間の間隔を調べることにより客観的に求めた。
【００５６】
定常状態のドット間隔は、記録媒体の移動速度と駆動周波数から求められる。従って、各々について、打ち始めのドットと次のドットとの間隔ｄ１と定常状態のドット間隔ｄとの比（ｄ１／ｄ）を調べ、以下の基準により評価した。その結果を表１に示す。
【００５７】
○    ：    ３／４≦ｄ１／ｄ            ；画質は優良
○〜△：１１／１６≦ｄ１／ｄ＜３／４    ；画質は良好
△    ：  ９／１６≦ｄ１／ｄ＜１１／１６；画質は実用上問題ない
△〜×：    １／２≦ｄ１／ｄ＜９−１６  ；画質は実用上問題あり
×    ：            ｄ１／ｄ＜１／２    ；画質は不可
【００５８】
【表１】
2005238574.tif 000003
【００５９】
（実施例２）
インク滴の飛翔速度Ｚを８ｍ／ｓとした以外は実施例１と同様にして評価した。その結果を表２に示す。
【００６０】
【表２】
2005238574.tif 000004
【００６１】
（実施例３）
インク滴の飛翔速度Ｚを１０ｍ／ｓとした以外は実施例１と同様にして評価した。その結果を表２に示す。
【００６２】
【表３】
2005238574.tif 000005
【００６３】
（実施例４）
インク滴の飛翔速度Ｚを１２ｍ／ｓとした以外は実施例１と同様にして評価した。その結果を表２に示す。
【００６４】
【表４】
2005238574.tif 000006
【００６５】
（実施例５）
インク滴の飛翔速度Ｚを１４ｍ／ｓとした以外は実施例１と同様にして評価した。その結果を表２に示す。
【００６６】
【表５】
2005238574.tif 000007
【００６７】
（実施例６）
インク滴の飛翔速度Ｚを１６ｍ／ｓとした以外は実施例１と同様にして評価した。その結果を表２に示す。
【００６８】
【表６】
2005238574.tif 000008
【００６９】
（実施例７）
記録ヘッドのノズル面と記録媒体との間隔Ｗを１．０ｍｍとした以外は実施例１と同様にして評価した。その結果を表７に示す。
【００７０】
【表７】
2005238574.tif 000009
【００７１】
（実施例８）
記録ヘッドのノズル面と記録媒体との間隔Ｗを１．０ｍｍ、インク滴の飛翔速度Ｚを８ｍ／ｓとした以外は実施例１と同様にして評価した。その結果を表８に示す。
【００７２】
【表８】
2005238574.tif 000010
【００７３】
（実施例９）
記録ヘッドのノズル面と記録媒体との間隔Ｗを１．０ｍｍ、インク滴の飛翔速度Ｚを１０ｍ／ｓとした以外は実施例１と同様にして評価した。その結果を表９に示す。
【００７４】
【表９】
2005238574.tif 000011
【００７５】
（実施例１０）
記録ヘッドのノズル面と記録媒体との間隔Ｗを１．０ｍｍ、インク滴の飛翔速度Ｚを１２ｍ／ｓとした以外は実施例１と同様にして評価した。その結果を表１０に示す。
【００７６】
【表１０】
2005238574.tif 000012
【００７７】
（実施例１１）
記録ヘッドのノズル面と記録媒体との間隔Ｗを１．０ｍｍ、インク滴の飛翔速度Ｚを１４ｍ／ｓとした以外は実施例１と同様にして評価した。その結果を表１１に示す。
【００７８】
【表１１】
2005238574.tif 000013
【００７９】
（実施例１２）
記録ヘッドのノズル面と記録媒体との間隔Ｗを１．０ｍｍ、インク滴の飛翔速度Ｚを１６ｍ／ｓとした以外は実施例１と同様にして評価した。その結果を表１２に示す。
【００８０】
【表１２】
2005238574.tif 000014
【００８１】
（実施例１３）
記録ヘッドのノズル面と記録媒体との間隔Ｗを１．３ｍｍとした以外は実施例１と同様にして評価した。その結果を表１３に示す。
【００８２】
【表１３】
2005238574.tif 000015
【００８３】
（実施例１４）
記録ヘッドのノズル面と記録媒体との間隔Ｗを１．３ｍｍ、インク滴の飛翔速度を８ｍ／ｓとした以外は実施例１と同様にして評価した。その結果を表１４に示す。
【００８４】
【表１４】
2005238574.tif 000016
【００８５】
（実施例１５）
記録ヘッドのノズル面と記録媒体との間隔Ｗを１．３ｍｍ、インク滴の飛翔速度を１０ｍ／ｓとした以外は実施例１と同様にして評価した。その結果を表１５に示す。
【００８６】
【表１５】
2005238574.tif 000017
【００８７】
（実施例１６）
記録ヘッドのノズル面と記録媒体との間隔Ｗを１．３ｍｍ、インク滴の飛翔速度を１２ｍ／ｓとした以外は実施例１と同様にして評価した。その結果を表１６に示す。
【００８８】
【表１６】
2005238574.tif 000018
【００８９】
（実施例１７）
記録ヘッドのノズル面と記録媒体との間隔Ｗを１．３ｍｍ、インク滴の飛翔速度を１４ｍ／ｓとした以外は実施例１と同様にして評価した。その結果を表１７に示す。
【００９０】
【表１７】
2005238574.tif 000019
【００９１】
（実施例１８）
記録ヘッドのノズル面と記録媒体との間隔Ｗを１．３ｍｍ、インク滴の飛翔速度を１６ｍ／ｓとした以外は実施例１と同様にして評価した。その結果を表１８に示す。
【００９２】
【表１８】
2005238574.tif 000020
【００９３】
以上、各実施例からわかるように、駆動周波数Ｘ、インク滴量Ｙ、インク滴の飛翔速度Ｘ及び記録ヘッドのノズル面と記録媒体との間隔Ｗによる上記所定の関係式の計算値が０以上となるとき、打ち始めのドットと次のドットとの間隔が定常状態のドット間隔に近くなり、好ましい状態でインク滴が吐出できた。特に、駆動周波数Ｘが３０ｋＨｚ以上、インク滴量Ｙが１．５ｐｌ以下であっても、上記所定の関係式を満足することにより、実用上問題ないレベル以上の画質を維持することができた。
【００９４】
なお、駆動周波数Ｘが１５ｋＨｚ及び７．５ｋＨｚの場合や、インク滴量Ｙが２．０ｐｌ及び４．０ｐｌの場合は、ドット間隔の評価自体はほぼ好ましいものであったが、駆動周波数Ｘが１５ｋＨｚ及び７．５ｋＨｚでは記録速度が遅くなり、高速化の要請を満足できず、また、インク滴量Ｙが２．０ｐｌ及び４．０ｐｌではドット径が大きくなって、画像の高精細化の要請を満足できなかった。
【図面の簡単な説明】
【００９５】
【図１】インクジェット記録装置の概略構成を示す斜視図
【図２】インクジェット記録装置における画像記録部を示す断面図
【図３】インクジェット記録装置の主要部の構成ブロック図
【図４】（ａ）（ｂ）は記録ヘッドにおけるノズル列の態様を示す図
【図５】（ａ）は各インク滴によって形成される理想的なドット間隔を示す図、（ｂ）はインク滴同士の合体が発生した場合のドット間隔を示す図
【符号の説明】
【００９６】
１０：画像記録部
１１：記録ヘッド
１１ａ：ノズル面
１１ｂ：ノズル
２０：搬送ローラ対
２１：駆動ローラ
２２：従動ローラ
３０：搬送モータ
４１：Ｉ／Ｆ部
４２：制御部
４３：画像メモリ
４４：ヘッド駆動部
４５：副走査駆動部
５０：プラテン
５１：プラテン板
５２：吸引口
５３：吸引手段
５４：吸引管
Ｐ：記録媒体
Ｐａ：ロール体
【図１】
2005238574.tif 000021
【図２】
2005238574.tif 000022
【図３】
2005238574.tif 000023
【図４】
2005238574.tif 000024
【図５】
2005238574.tif 000025